(57)【要約】【課題】  特別な容器や器具に移し替えることなく、直接水掛け湯冷ましを容易に実施することのできる麦茶用ケットルを提供する。【解決手段】  突出注ぎ口１３、及び上部開口部、及び適宜な持ち手（把手）１４を有する本体１と、本体の上部開口部に装着される蓋体３とで構成され、上部開口部の開口周縁を立ち上げ形状に形成すると共に、蓋体が前記開口周縁の外周側に位置する周面３４を有する形状に形成してなり、必要に応じて本体の上部開口部に係止して本体内部に吊り下げられる茶漉し体２を備えてなり、麦茶の煮出しを行った後、そのまま水道水（冷却用水）Ｂを蓋体上方から注ぐと、蓋体が本体開口部を包むように装着されているので、注がれた水道水が本体に侵入することが無く、熱水状態のままでも容易に湯冷ましすることができる。【選択図】図４
2005211561.tif 000002
【特許請求の範囲】
【請求項１】
突出注ぎ口、及び上部開口部、及び適宜な持ち手を有する本体と、本体の上部開口部に装着される蓋体とで構成され、上部開口部の開口周縁を立ち上げ形状に形成すると共に、蓋体が前記開口周縁の外周側に位置する周面を有する形状に形成してなることを特徴とする麦茶用ケットル。
【請求項２】
蓋体に設けた摘部の上面部分に、放射状の凹凸形状による導水路を設けてなる請求項１記載の麦茶用ケットル。
【請求項３】
本体を高さの低い扁平形状に形成すると共に、周面部を下方が拡径となる傾斜面に形成してなる請求項１又は２記載の麦茶用ケットル。
【請求項４】
本体と蓋体と、本体の上部開口部に係止して本体内部に吊り下げられる茶漉し体とで構成される請求項１乃至３記載の麦茶用ケットル。
【発明の詳細な説明】
【技術分野】
【０００１】
本発明は、麦茶の調製や冷やした薬湯の調製が容易である麦茶用ケットルに関するものである。
【背景技術】
【０００２】
夏期に喫飲される麦茶は、水出し茶以外は一旦煮出したものを冷却して飲み物として供されるもので、煮出した直後は熱く冷却が必要である。そこで麦茶などを冷ますには、加熱した容器を火から下ろし、そのまま外気温に近づく迄単に放置したり、水を張った別容器に加熱容器を浸していた。
【０００３】
しかし前記手段では効率的な冷却ができないとして実開平５−９５３７２号公報（特許文献１）には、容器上部に貯水部を設けると共に、容器外壁に複数の流水用の溝を形成し、貯水部に水道等から流水を施し、貯水部からあふれ出る流水をその溝を伝って下降させて容器内の麦茶などの温度を早く下げるようにした湯冷まし容器が開示されている。
【０００４】
また実開平６−２０７４号公報（特許文献２）には、冷却水を一定量貯えるタンクと、温水（麦茶）を貯え、この温水を排出するための温水排出口を有する温水槽と、一方が温水排出口に連結され、タンク内において所定の経路を有し、他方がタンク外の冷水排出口に連結された冷却パイプとを備えている温水冷却装置が開示されている。
【０００５】
【特許文献１】実開平５−９５３７２号公報。
【特許文献２】実開平６−２０７４号公報。
【発明の開示】
【発明が解決しようとする課題】
【０００６】
前記特許文献で開示されている麦茶などの冷却具は、湯沸とは別に当該器具を用意する必要があり、麦茶の煮出しを行ったケットルから容器や温水槽に移し変える必要があるし、熱水（煮出した直後の麦茶）の場合には移し変え作業自体が火傷などの危険を伴う。
【０００７】
そこで本発明は、湯冷ましを容易に実施することのできる麦茶用ケットルを提案したものである。
【課題を解決するための手段】
【０００８】
本発明（請求項１）に係る麦茶用ケットルは、突出注ぎ口、及び上部開口部、及び適宜な持ち手を有する本体と、本体の上部開口部に装着される蓋体とで構成され、上部開口部の開口周縁を立ち上げ形状に形成すると共に、蓋体が前記開口周縁の外周側に位置する周面を有する形状に形成してなり、必要に応じて本体の上部開口部に係止して本体内部に吊り下げられる茶漉し体を備えてなることを特徴とするものである。
【０００９】
従って茶漉し体に茶葉を入れて本体内に吊り下げ収納したり、又はパック詰め茶葉を直接本体内に入れ、本体に給水して麦茶の煮出しを行った後、そのまま水道水を蓋体上方から注ぐと、蓋体が本体開口部を包むように装着されているので、注がれた水道水が本体に侵入することが無く、熱水状態のままでも容易に湯冷ましすることができる。
【００１０】
また本発明（請求項２）は、前記のケットルにおいて、蓋体に設けた摘部の上面部分に、放射状の凹凸形状による導水路を設けてなるもので、冷却用水道水を摘部上に落下させると、導水路によって放射状に水道水が流れ落ちることになり、効率的に冷却を行うことができる。
【００１１】
また更に本発明（請求項３）は、本体を高さの低い扁平形状に形成すると共に、周面部を下方が拡径となる傾斜面に形成してなるもので、前記の水道水冷却に際して水道水が本体周面を確実に流れ落ちるので、冷却効率が高められると共に、湯冷まし後はそのまま冷蔵庫への収納冷却が可能となるものである。
【発明の効果】
【００１２】
本発明は上記の通りであるから、麦茶や薬湯の煮出しを行ったケットルでそのまま水道水による湯冷ましを実施できるもので、特別な器具や装置などへの移し変えを必要とせずに、作業性が向上するものである。
【発明を実施するための最良の形態】
【００１３】
次に本発明の実施の形態について説明する。実施形態の麦茶用ケットルは、本体１と、茶漉し体２と、蓋体３とで構成される。
【００１４】
本体１は、上部に開口部１１を有し、周面部１２からは注ぎ口１３を突出せしめ、倒伏起立自在の釣手形状の把手１４を付設した通常のケットルと同様の構成を備えているが、特に全体が扁平（高さ１００ｍｍ以下）で、周面部１２を下方が拡径となる傾斜面に形成し、更に上部開口部１１の開口周縁１５を立ち上げ形状に形成したものである。更に注ぎ口１３には、開閉蓋１６を付設する。
【００１５】
茶漉し体２は、網容器部２１の上部開口部に、本体１の開口周縁１５に係止して本体内部に吊り下げられる係止部２２を設けているものである。
【００１６】
蓋体３は、蓋本体３１と摘部３２とを備えているもので、蓋本体３１は扁平で上面部３３は中心から裾部に向かってなだらかに傾斜した形状で、周面３４は、本体１の開口周縁１５の外周側に位置して前記開口周縁１５を包む形状としたものである。また摘部３２は、上面部分に放射状の突条３５を設け、突条３５間に導水路３６を形成しているものである。勿論凹溝を放射状に形成して導水路としても良い。
【００１７】
而して茶漉し体２に茶葉を入れて本体１内に吊り下げ収納し、本体１内に給水して火にかけ、麦茶の煮出しを行う。麦茶の煮出しを終了すると、適宜な扁平容器Ａ内に本体を置き、水道水（冷却用水）Ｂを蓋体３の上方から注ぐと、水道水は導水路によって放射状に流れ、本体１の周面部１２に伝って落ちることになり、この水道水（冷却用水）によって本体内の麦茶は効率的に冷却される。
【００１８】
更に扁平容器Ａに流下した水道水（冷却用水）Ｂが溜まるので、冷却作用が促進されることになる。勿論蓋体３は本体１の上部開口部１１を包むように装着しているし、注ぎ口１３には開閉蓋１６を設けているので、冷却時の水道水が侵入することも無い。
【００１９】
また全体を扁平（摘み部頂部までの高さを１３０ｍｍ以下）に形成することで、粗熱をとった麦茶は本体１に収納したまま冷蔵庫に収納して冷却することも容易に行うことができる。
【図面の簡単な説明】
【００２０】
【図１】本発明の実施形態の一部切断した全体の正面図。
【図２】同蓋体の装着状態の説明図。
【図３】同摘部の説明図で、（イ）は上方斜視図（ロ）は正面図。
【図４】同使用状態の説明図。
【符号の説明】
【００２１】
１          本体
１１        開口部
１２        周面部
１３        注ぎ口
１４        把手
１５        開口周縁
１６        開閉蓋
２          茶漉し体
２１        網容器部
２２        係止部
３          蓋体
３１        蓋本体
３２        摘部
３３        上面部
３４        周面
３５        突条
３６        導水路
【図１】
2005211561.tif 000003
【図２】
2005211561.tif 000004
【図３】
2005211561.tif 000005
【図４】
2005211561.tif 000006